(57)【特許請求の範囲】
【請求項１】
映像信号を、誤り率が異なるＭ個（Ｍは１以上の整数）の伝送路を介して送信する映像信号送信装置において、
前記映像信号を構成する複数のビットデータのうち、上位側のビットデータが誤り率の低い前記伝送路に対応し、下位側のビットデータが誤り率の高い前記伝送路に対応するように定義された規則に従って、前記映像信号を構成する複数のビットデータを分離し、Ｎ個（ＮはＭよりも大きい２以上の整数）のビット列を生成する映像ビット列分離部と、
前記映像ビット列分離部により生成された前記Ｎ個のビット列を、対応する前記伝送路の通信方式に応じたＮ個のパケット信号に変換するパケット変換部と、
前記パケット変換部により変換された前記Ｎ個のパケット信号のうち、多重対象の複数のパケット信号を多重するパケット多重部と、
前記パケット変換部により変換された前記Ｎ個のパケット信号のうち、前記多重対象の複数のパケット信号を除くパケット信号、及び前記パケット多重部により多重されたパケット信号に対し、対応する前記伝送路の通信方式に応じた伝送路符号化を行う伝送路符号化部と、を備え、
前記伝送路符号化が行われたＭ個の伝送信号を、対応する前記伝送路を介して送信する、ことを特徴とする映像信号送信装置。
【請求項２】
映像信号を、誤り率が同等のＭ個（Ｍは１以上の整数）の伝送路を介して送信する映像信号送信装置において、
前記映像信号を構成する複数のビットデータのうち、上位側のビットデータが高い訂正性能の符号を用いる誤り訂正符号化処理に対応し、下位側のビットデータが低い訂正性能の符号を用いる誤り訂正符号化処理に対応するように定義された規則に従って、前記映像信号を構成する複数のビットデータを分離し、前記誤り訂正符号化処理に対応したＮ個（ＮはＭよりも大きい２以上の整数）のビット列を生成する映像ビット列分離部と、
前記映像ビット列分離部により生成された前記Ｎ個のビット列を、対応する前記伝送路の通信方式に応じたＮ個のパケット信号に変換するパケット変換部と、
前記パケット変換部により変換された前記Ｎ個のパケット信号のうち、前記上位側のビットデータを含むパケット信号に対し、高い訂正性能の符号にて誤り訂正符号化処理を行い、前記下位側のビットデータを含むパケット信号に対し、低い訂正性能の符号にて誤り訂正符号化処理を行う誤り訂正符号化部と、
前記誤り訂正符号化部により誤り訂正符号化処理が行われたＮ個のパケット信号のうち、多重対象の複数のパケット信号を多重するパケット多重部と、
前記誤り訂正符号化部により誤り訂正符号化処理が行われたＮ個のパケット信号のうち、前記多重対象の複数のパケット信号を除くパケット信号、及び前記パケット多重部により多重されたパケット信号に対し、対応する前記伝送路の通信方式に応じた伝送路符号化を行う伝送路符号化部と、を備え、
前記伝送路符号化が行われたＭ個の伝送信号を、対応する前記伝送路を介して送信する、ことを特徴とする映像信号送信装置。
【請求項３】
請求項１の映像信号送信装置から、誤り率が異なるＭ個（Ｍは１以上の整数）の伝送路を介して送信されたＭ個の伝送信号を受信する映像信号受信装置において、
前記Ｍ個の伝送信号に対し、対応する前記伝送路の通信方式に応じた伝送路復号を行い、Ｍ個のパケット信号を生成する伝送路復号部と、
前記伝送路復号部により生成されたＭ個のパケット信号のうちの多重されたパケット信号から、元の複数のパケット信号を分離するパケット分離部と、
前記伝送路復号部により生成された前記Ｍ個のパケット信号のうち、前記パケット分離部による分離の対象でないパケット信号、及び前記パケット分離部により分離されたパケット信号を、Ｎ個（ＮはＭよりも大きい２以上の整数）のビット列に再変換するパケット再変換部と、
映像信号を構成する複数のビットデータのうち、上位側のビットデータが誤り率の低い前記伝送路に対応し、下位側のビットデータが誤り率の高い前記伝送路に対応するように定義された規則の逆の規則に従って、前記パケット再変換部により再変換された前記Ｎ個のビット列を合成し、前記映像信号を生成する映像ビット列合成部と、を備えたことを特徴とする映像信号受信装置。
【請求項４】
請求項２の映像信号送信装置から、誤り率が異なるＭ個（Ｍは１以上の整数）の伝送路を介して送信されたＭ個の伝送信号を受信する映像信号受信装置において、
前記Ｍ個の伝送信号に対し、対応する前記伝送路の通信方式に応じた伝送路復号を行い、Ｍ個のパケット信号を生成する伝送路復号部と、
前記伝送路復号部により生成されたＭ個のパケット信号のうちの多重されたパケット信号から、元の複数のパケット信号を分離するパケット分離部と、
前記伝送路復号部により生成された前記Ｍ個のパケット信号のうち、前記パケット分離部による分離の対象でないパケット信号、及び前記パケット分離部により分離されたパケット信号について、上位側のビットデータを含むパケット信号に対し、高い訂正性能の符号にて誤り訂正復号処理を行い、下位側のビットデータを含むパケット信号に対し、低い訂正性能の符号にて誤り訂正復号処理を行う誤り訂正復号部と、
前記誤り訂正復号部により誤り訂正復号処理が行われたＮ個（ＮはＭよりも大きい２以上の整数）のパケット信号を、Ｎ個のビット列に再変換するパケット再変換部と、
映像信号を構成する複数のビットデータのうち、上位側のビットデータが高い訂正性能の符号を用いる誤り訂正符号化処理に対応し、下位側のビットデータが低い訂正性能の符号を用いる誤り訂正符号化処理に対応するように定義された規則の逆の規則に従って、前記パケット再変換部により再変換された前記Ｎ個のビット列を合成し、前記映像信号を生成する映像ビット列合成部と、を備えたことを特徴とする映像信号受信装置。
【発明の詳細な説明】
【技術分野】
【０００１】
本発明は、映像信号を伝送路へ送信する映像信号送信装置、及び伝送路から映像信号を受信する映像信号受信装置に関する。
【背景技術】
【０００２】
放送局から各家庭へ提供するデジタルテレビ放送においては、占有周波数及び伝送ビットレートの効率化を図るために、映像信号を圧縮符号化することが一般的である。一方、放送局内のスタジオ機器間またはスタジオ間の有線伝送においては、画質劣化及び遅延が生じないように、非圧縮伝送が多用される。
【０００３】
従来、放送局内の非圧縮デジタルハイビジョン信号に対し、映像を構成する各画素の輝度／色差信号を１０ビット以下で量子化する手法が主に用いられてきた。この信号に対応するインタフェースとして、ＳＭＰＴＥ（米国映画テレビ技術者協会）にてＳＴ２９２規格が定められ、ＨＤ−ＳＤＩ（High Definition−Serial Digital Interface：高精細度シリアルデジタルインタフェース）がスタジオ機器間の接続に広く用いられている。
【０００４】
近年、ハイビジョン（登録商標）の４倍の画素を有する４Ｋ映像、及び１６倍の画素を有する８Ｋ映像の研究開発が盛んに進められている。２０１２年には、４Ｋ映像及び８Ｋ映像の映像パラメータについて、ＩＴＵ−Ｒ（国際電気通信連合  無線通信部門）によりＢＴ．２０２０が勧告化された。日本国内では、電波産業会（以下、ＡＲＩＢという。）によりＳＴＤ−Ｂ５６が規格化された。さらに、２０１４年３月には、ＳＴＤ−Ｂ５６にて規定された全映像を伝送可能な機器間インタフェースとして、ＡＲＩＢにてＳＴＤ−Ｂ５８が規格化された。
【０００５】
ＳＴＤ−Ｂ５８の規格においては、約１０．７Ｇｂｐｓの光信号を伝送単位として、４Ｋ／８Ｋ映像信号を、３〜２４本の１０Ｇリンク信号を用いて伝送することが規定されている。ＳＴＤ−Ｂ５８にて規定する１０Ｇリンク信号は、ＨＤ−ＳＤＩ信号とは異なり、１２ビットを１ワードとするフレーム構造が採用されている。
【０００６】
一方、通信分野においては、ＩＥＥＥ  ８０２．３にて１００Ｇｂｐｓの１００ギガビットイーサネットが規格化され、既にデータセンターまたは幹線通信等の業務用途に広く用いられている。また、次世代の４００ギガビットイーサネットの規格化作業も進められている。
【０００７】
業務用通信機器は、業務用放送機器と比較して使用者が多く、早期に低廉化が進むことから、システム全体としての低廉化が見込まれ、ファイル系とリアルタイム系の統合による伝送路の効率化が期待される。
【０００８】
このような背景から、放送業務においては、非圧縮映像信号を通信機器を用いて伝送する技術が着目され、開発が進められている（例えば特許文献１、非特許文献１を参照）。
【先行技術文献】
【特許文献】
【０００９】
【特許文献１】特開２０１３−１１０４５４号公報
【非特許文献】
【００１０】
【非特許文献１】川本潤一郎、中戸川剛、小山田公之、“１００ギガビットイーサネットを用いた非圧縮スーパーハイビジョン信号伝送技術の開発”、電子情報通信学会技術研究報告、ＣＳ通信方式、vol.114、no.119、CS2014-28、 2014、 p.67-72
【発明の概要】
【発明が解決しようとする課題】
【００１１】
放送業務で用いる非圧縮映像信号は、ハイビジョン（登録商標）の場合でも１．２Ｇｂｐｓ以上であり、８Ｋ映像の場合は最大１４４Ｇｂｐｓにも達する大容量信号である。この非圧縮映像信号を通信機器を用いて伝送するためには、高価な大容量通信回線及び機器が必要になるという課題がある。
【００１２】
また、経費の効率化を図るために、ベストエフォート型（伝送ビットレートを保証しない、誤りが発生する可能性がある回線形態）の回線及び装置を用いる場合、一般的な伝送方法では、重要なデータに誤りが発生する可能性がある。ベストエフォート型の回線で安定的な伝送を行うためには、訂正性能が高い誤り訂正符号を用いる必要がある。このため、複雑な信号処理が必要となって装置が大型化し、中継車等の限られたスペースへ収容できない可能性があり、消費電力が高くコストも高くなるという課題がある。
【００１３】
また、多様な伝送データの中から特に重要なデータを選別することで、安定的な伝送を実現するために、データの優先度に基づく配信制御が用いられる。しかし、優先度に基づいた制御に対応するスイッチ及びルーターが限られることから、高価な回線及び装置が必要になるという課題がある。
【００１４】
そこで、本発明は前記課題を解決するためになされたものであり、その目的は、大容量の映像信号の伝送を、複雑な信号処理を行うことなく低廉に実現し、かつ誤りの発生による画質への悪影響を抑制可能な映像信号送信装置及び映像信号受信装置を提供することにある。
【課題を解決するための手段】
【００１６】
前記課題を解決するために、請求項１の映像信号送信装置は、映像信号を、誤り率が異なるＭ個（Ｍは１以上の整数）の伝送路を介して送信する映像信号送信装置において、前記映像信号を構成する複数のビットデータのうち、上位側のビットデータが誤り率の低い前記伝送路に対応し、下位側のビットデータが誤り率の高い前記伝送路に対応するように定義された規則に従って、前記映像信号を構成する複数のビットデータを分離し、Ｎ個（ＮはＭよりも大きい２以上の整数）のビット列を生成する映像ビット列分離部と、前記映像ビット列分離部により生成された前記Ｎ個のビット列を、対応する前記伝送路の通信方式に応じたＮ個のパケット信号に変換するパケット変換部と、前記パケット変換部により変換された前記Ｎ個のパケット信号のうち、多重対象の複数のパケット信号を多重するパケット多重部と、前記パケット変換部により変換された前記Ｎ個のパケット信号のうち、前記多重対象の複数のパケット信号を除くパケット信号、及び前記パケット多重部により多重されたパケット信号に対し、対応する前記伝送路の通信方式に応じた伝送路符号化を行う伝送路符号化部と、を備え、前記伝送路符号化が行われたＭ個の伝送信号を、対応する前記伝送路を介して送信する、ことを特徴とする。
【００１８】
また、請求項２の映像信号送信装置は、映像信号を、誤り率が同等のＭ個（Ｍは１以上の整数）の伝送路を介して送信する映像信号送信装置において、前記映像信号を構成する複数のビットデータのうち、上位側のビットデータが高い訂正性能の符号を用いる誤り訂正符号化処理に対応し、下位側のビットデータが低い訂正性能の符号を用いる誤り訂正符号化処理に対応するように定義された規則に従って、前記映像信号を構成する複数のビットデータを分離し、前記誤り訂正符号化処理に対応したＮ個（ＮはＭよりも大きい２以上の整数）のビット列を生成する映像ビット列分離部と、前記映像ビット列分離部により生成された前記Ｎ個のビット列を、対応する前記伝送路の通信方式に応じたＮ個のパケット信号に変換するパケット変換部と、前記パケット変換部により変換された前記Ｎ個のパケット信号のうち、前記上位側のビットデータを含むパケット信号に対し、高い訂正性能の符号にて誤り訂正符号化処理を行い、前記下位側のビットデータを含むパケット信号に対し、低い訂正性能の符号にて誤り訂正符号化処理を行う誤り訂正符号化部と、前記誤り訂正符号化部により誤り訂正符号化処理が行われたＮ個のパケット信号のうち、多重対象の複数のパケット信号を多重するパケット多重部と、前記誤り訂正符号化部により誤り訂正符号化処理が行われたＮ個のパケット信号のうち、前記多重対象の複数のパケット信号を除くパケット信号、及び前記パケット多重部により多重されたパケット信号に対し、対応する前記伝送路の通信方式に応じた伝送路符号化を行う伝送路符号化部と、を備え、前記伝送路符号化が行われたＭ個の伝送信号を、対応する前記伝送路を介して送信する、ことを特徴とする。
【００２１】
また、請求項３の映像信号受信装置は、請求項１の映像信号送信装置から、誤り率が異なるＭ個（Ｍは１以上の整数）の伝送路を介して送信されたＭ個の伝送信号を受信する映像信号受信装置において、前記Ｍ個の伝送信号に対し、対応する前記伝送路の通信方式に応じた伝送路復号を行い、Ｍ個のパケット信号を生成する伝送路復号部と、前記伝送路復号部により生成されたＭ個のパケット信号のうちの多重されたパケット信号から、元の複数のパケット信号を分離するパケット分離部と、前記伝送路復号部により生成された前記Ｍ個のパケット信号のうち、前記パケット分離部による分離の対象でないパケット信号、及び前記パケット分離部により分離されたパケット信号を、Ｎ個（ＮはＭよりも大きい２以上の整数）のビット列に再変換するパケット再変換部と、映像信号を構成する複数のビットデータのうち、上位側のビットデータが誤り率の低い前記伝送路に対応し、下位側のビットデータが誤り率の高い前記伝送路に対応するように定義された規則の逆の規則に従って、前記パケット再変換部により再変換された前記Ｎ個のビット列を合成し、前記映像信号を生成する映像ビット列合成部と、を備えたことを特徴とする。
【００２３】
また、請求項４の映像信号受信装置は、請求項２の映像信号送信装置から、誤り率が異なるＭ個（Ｍは１以上の整数）の伝送路を介して送信されたＭ個の伝送信号を受信する映像信号受信装置において、前記Ｍ個の伝送信号に対し、対応する前記伝送路の通信方式に応じた伝送路復号を行い、Ｍ個のパケット信号を生成する伝送路復号部と、前記伝送路復号部により生成されたＭ個のパケット信号のうちの多重されたパケット信号から、元の複数のパケット信号を分離するパケット分離部と、前記伝送路復号部により生成された前記Ｍ個のパケット信号のうち、前記パケット分離部による分離の対象でないパケット信号、及び前記パケット分離部により分離されたパケット信号について、上位側のビットデータを含むパケット信号に対し、高い訂正性能の符号にて誤り訂正復号処理を行い、下位側のビットデータを含むパケット信号に対し、低い訂正性能の符号にて誤り訂正復号処理を行う誤り訂正復号部と、前記誤り訂正復号部により誤り訂正復号処理が行われたＮ個（ＮはＭよりも大きい２以上の整数）のパケット信号を、Ｎ個のビット列に再変換するパケット再変換部と、映像信号を構成する複数のビットデータのうち、上位側のビットデータが高い訂正性能の符号を用いる誤り訂正符号化処理に対応し、下位側のビットデータが低い訂正性能の符号を用いる誤り訂正符号化処理に対応するように定義された規則の逆の規則に従って、前記パケット再変換部により再変換された前記Ｎ個のビット列を合成し、前記映像信号を生成する映像ビット列合成部と、を備えたことを特徴とする。
【発明の効果】
【００２５】
以上のように、本発明によれば、大容量の映像信号の伝送を、複雑な信号処理を行うことなく低廉に実現し、かつ誤りの発生による画質への悪影響を抑制することが可能となる。
【図面の簡単な説明】
【００２６】
【図１】実施例１の映像信号送信装置の構成例を示すブロック図である。
【図２】量子化された映像データの例における分離処理を説明する図である。
【図３】図２の続きを説明する図である。
【図４】映像ビット列分離部による分離処理を説明する図である。
【図５】一般的なパケット化手法（従来技術）を説明する図である。
【図６】実施例１の映像信号受信装置の構成例を示すブロック図である。
【図７】実施例２の映像信号送信装置の構成例を示すブロック図である。
【図８】実施例２の映像信号受信装置の構成例を示すブロック図である。
【図９】実施例３の映像信号送信装置の構成例を示すブロック図である。
【図１０】実施例３の映像信号受信装置の構成例を示すブロック図である。
【図１１】実施例４の映像信号送信装置の構成例を示すブロック図である。
【図１２】実施例４の映像信号受信装置の構成例を示すブロック図である。
【発明を実施するための形態】
【００２７】
以下、本発明を実施するための形態について図面を用いて詳細に説明する。一般に、量子化されたデジタル映像データは、ビット間に重要度の差異が存在し、上位ビットは下位ビットよりも、データ誤りが検知されやすい。上位ビットにデータ誤りが発生した映像と、下位ビットにデータ誤りが発生した映像とを比較すると、映像を見る人は、前者の方が違和感を受け易い。
【００２８】
本発明では、映像信号の上位ビットほど重要なデータとして扱い、映像信号の上位ビットと下位ビットとを分離し、それぞれをパケットに変換する。そして、本発明では、品質が異なる複数の伝送路を介して映像信号を伝送する場合、映像信号の上位ビットが格納されたパケットを、高い品質の伝送路を介して伝送し、映像信号の下位ビットが格納されたパケットを、低い品質の伝送路を介して伝送する。また、本発明では、品質がほぼ等しい複数の伝送路を介して伝送する場合、上位ビットが格納されたパケットを、高い訂正性能の符号にて誤り訂正符号化して伝送し、下位ビットが格納されたパケットを、低い訂正性能の符号にて誤り訂正符号化して伝送する。
【００２９】
以下、実施例１〜４について説明する。実施例１，２は共に、品質が異なる複数の伝送路を介して映像信号を伝送する場合を想定した例であり、実施例２は、伝送路の数が少ない構成に適用がある。実施例３，４は共に、品質がほぼ同等の複数の伝送路を介して映像信号を伝送する場合を想定した例であり、実施例４は、伝送路の数が少ない構成に適用がある。
【００３０】
〔実施例１〕
まず、実施例１について説明する。実施例１は、品質が異なる複数の伝送路を前提とし、映像信号の上位ビットが格納されたパケットを、品質の高い伝送路を介して伝送し、映像信号の下位ビットが格納されたパケットを、品質の低い伝送路を介して伝送する例である。
【００３１】
（映像信号送信装置／実施例１）
実施例１の映像信号送信装置について詳細に説明する。図１は、実施例１の映像信号送信装置の構成例を示すブロック図である。この映像信号送信装置１−１は、映像ビット列分離部１１、Ｎ個のパケット変換部１２−１〜１２−Ｎ、及びＮ個の伝送路符号化部１３−１〜１３−Ｎを備えている。Ｎは２以上の整数である。
【００３２】
映像信号送信装置１−１は、送信対象の映像信号をＮ個の映像信号に分離し、Ｎ個に分離された映像信号が、映像信号送信装置１−１から伝送路３０−１〜３０−Ｎを介して、後述する映像信号受信装置２−１へ伝送される。
【００３３】
伝送路３０−１〜３０−Ｎは、それぞれ異なる品質、または一部が異なる品質であるとする。例えば、伝送路３０−１が最も高品質の伝送路とし、伝送路３０−２が２番目に高品質の伝送路とし、・・・、伝送路３０−Ｎが最も低品質の伝送路とするように定義する。
【００３４】
ここで、伝送路の品質は、通信回線の誤り率（誤り発生確率）により決定される。通信回線の誤り率の低い伝送路は品質が高く、誤り率の高い伝送路は品質が低い。例えば、波長分割多重したパケット信号を、１本の光ファイバーを用いて伝送する場合、波長毎に伝送路の信号電力対雑音電力比（ＳＮ比）が異なる。このため、パケット信号が伝送される各波長の伝送路を、伝送路３０−１〜３０−Ｎとして扱うことができる。つまり、伝送路３０−１〜３０−Ｎは、１本の光ファイバーからなり、それぞれの波長に応じた伝送路であり、ＳＮ比が高いほど品質は高くなる。
【００３５】
映像ビット列分離部１１は、送信対象の映像信号を入力し、予め設定された規則に従い、映像信号である映像データを構成する複数のビットデータを、伝送路３０−１〜３０−Ｎの品質に応じて分離し、上位側のビットデータが品質の高い伝送路に対応し、下位側のビットデータが品質の低い伝送路に対応するように、Ｎ個（Ｎ系統）のビット列を生成する。分離数Ｎは、伝送路３０−１〜３０−Ｎに応じた数とする。
【００３６】
映像ビット列分離部１１により生成されたＮ系統のビット列は、対応するパケット変換部１２−１〜１２−Ｎへ入力される。すなわち、第１番目のビット列はパケット変換部１２−１へ入力され、第２番目のビット列はパケット変換部１２−２へ入力され、・・・、第Ｎ番目のビット列はパケット変換部１２−Ｎへ入力される。
【００３７】
ここで、送信対象の映像信号は、量子化されたデジタル映像信号であり、例えば、ＡＲＩＢ  ＳＴＤ−Ｂ５８に規定された信号である。
【００３８】
例えば、予め設定された規則として、映像信号である映像データを構成する複数のビットデータ（上位側のビットから下位側のビットまでの一連のビットデータ）を、伝送路３０−１〜３０−Ｎの品質に応じて、伝送路３０−１〜３０−Ｎに対応するＮグループ（伝送路３０−１〜３０−Ｎの数分のグループ）に等分し、Ｎ系統のビット列を生成する規則が定義されている。
【００３９】
伝送路３０−１が最も高品質であり、伝送路３０−１から伝送路３０−Ｎへ品質が順番に低下し、伝送路３０−Ｎが最も低品質である場合、伝送路３０−１に対応するビット列は、映像データにおける上位側のビットデータからなるように生成され、伝送路３０−Ｎに対応するビット列は、下位側のビットデータからなるように生成される。つまり、伝送路３０−１〜３０−Ｎの品質が高いほど、映像データにおける上位側のビットデータからなるビット列が生成され、品質が低いほど、下位側のビットデータからなるビット列が生成される。
【００４０】
また、例えば、予め設定された規則として、映像信号である映像データを構成する複数のビットデータ（上位側のビットから下位側のビットまでの一連のビットデータ）を、伝送路３０−１〜３０−Ｎの品質に応じて、伝送路３０−１〜３０−Ｎに対応するＮグループ（伝送路３０−１〜３０−Ｎの数分のグループ）に、かつ伝送路３０−１〜３０−Ｎの伝送速度に比例するビット長となるように分離し、Ｎ系統のビット列を生成する規則が定義されている。
【００４１】
伝送路３０−１が最も高品質かつ高速度（高速度に伝送可能）であり、伝送路３０−１から伝送路３０−Ｎへ品質が順番に低下し、伝送路３０−１から伝送路３０−Ｎへ速度が順番に遅くなり、伝送路３０−Ｎが最も低品質かつ低速度である（低速度にしか伝送できない）場合、伝送路３０−１に対応するビット列は、映像データにおける上位側のビットデータからなり、長いビット長になるように生成され、伝送路３０−Ｎに対応するビット列は、下位側のビットデータからなり、短いビット長になるように生成される。つまり、伝送路３０−１〜３０−Ｎの品質が高いほど、映像データにおける上位側のビットデータからなるビット列が生成され、品質が低いほど、下位側のビットデータからなるビット列が生成される。また、伝送路３０−１〜３０−Ｎの伝送速度が速いほど、ビット長の長いビット列が生成され、伝送速度が遅いほど、ビット長の短いビット列が生成される。
【００４２】
この規則を用いることにより、高品質の伝送路には、映像への影響が大きい上位側のビットデータが割り当てられ、高速度の伝送路には、多くのビットデータが割り当てられるから、映像信号を効率的に伝送することができる。
【００４３】
また、例えば、予め設定された規則として、映像信号である映像データを構成する複数のビットデータ（上位側のビットから下位側のビットまでの一連のビットデータ）を、伝送路３０−１〜３０−Ｎ毎の予め設定されたビット長に分離し、Ｎ系統のビット列を生成する規則が定義されている。この場合、異なるビット長のＮ個のビット列に分離するようにしてもよい。
【００４４】
この規則を用いることにより、オペレータは、伝送路３０−１〜３０−Ｎ毎にビット長を自由に設定することができるから、自由度の高い、映像信号の伝送を実現することができる。
【００４５】
パケット変換部１２−１〜１２−Ｎは、映像ビット列分離部１１から対応するビット列を入力し、ビット列を、対応する伝送路３０−１〜３０−Ｎの通信方式に応じた伝送フレーム構造のパケット信号に変換する。例えば、伝送路３０−１の通信方式がイーサネット（登録商標）である場合、パケット変換部１２−１は、ビット列を、イーサネット（登録商標）の伝送フレーム構造のパケット信号（イーサネットパケット）に変換する。
【００４６】
パケット変換部１２−１〜１２−Ｎにより変換されたパケット信号は、対応する伝送路符号化部１３−１〜１３−Ｎへ入力される。
【００４７】
伝送路符号化部１３−１〜１３−Ｎは、対応するパケット変換部１２−１〜１２−Ｎからパケット信号を入力し、パケット信号に対し、対応する伝送路３０−１〜３０−Ｎの通信方式に応じた伝送路符号化を行う。例えば、伝送路３０−１の通信方式が１０ギガビットイーサネットである場合、伝送路符号化部１３−１は、パケット信号に対し、６４Ｂ／６６Ｂ符号化を行う。
【００４８】
伝送路符号化部１３−１〜１３−Ｎにより伝送路符号化された信号は、伝送信号として対応する伝送路３０−１〜３０−Ｎを介して、後述する映像信号受信装置２−１へ送信される。
【００４９】
（映像ビット列分離部１１）
次に、図１に示した映像ビット列分離部１１について詳細に説明する。図２は、量子化された映像データの例における分離処理を説明する図であり、図３は、図２の続きを説明する図である。量子化された映像データは、映像ビット列分離部１１が入力する映像信号である。
【００５０】
映像信号である量子化された映像データの例として、ＡＲＩＢ  ＳＴＤ−Ｂ５６に規定された１２ビット量子化Ｙデータ系列を挙げて説明する。以下、具体的な説明のために、ＡＲＩＢ規格に従う映像データを挙げるが、本発明の映像信号は、ＡＲＩＢ規格の映像データに限定されるものではない。本発明は、例えば、線形量子化データまたは非線形量子化データに適用があるが、エントロピー符号化等のように、データの生成確率等に応じてビット長が異なる映像データには適用がない。
【００５１】
Ｙデータ系列は、映像の輝度信号を量子化したものである。図２に示すように、ＳＴＤ−Ｂ５６の規定において、１２ビット量子化Ｙデータ系列の黒レベルは２５６（１０進数）、ピークレベルが３７６０（１０進数）に定められている。図３に示すように、１２ビット量子化Ｙデータ系列は、１０ビット量子化の際に、下位２ビットにゼロをスタッフィングすることにより、１２ビット長の映像データと等しく取り扱われる。
【００５２】
１２ビット量子化Ｙデータ系列の映像データでは、１ビットの誤りが生じる場合、誤りが最下位ビットであれば、正誤データ間の輝度差はわずかに１（１０進数）である。一方、誤りが最上位ビットであれば、正誤データ間の輝度差は２０４８（１０進数）となり、１ビットの誤りの影響度合いは大きく異なる。つまり、図３に示すように、映像データを構成する１２ビットのうち、上位ビットほど、ビット誤りの影響は大きくなり、下位ビットほど、ビット誤りの影響は小さくなる。
【００５３】
そこで、本発明の実施例１では、この点に着目し、量子化ビットの最上位ビットを最重要ビットと位置付け、上位ビット側の映像信号を、高い品質の伝送路を介して伝送し、下位ビットの映像信号を、低い品質の伝送路を介して伝送するようにした。これにより、伝送路におけるビット誤りの画質への影響を、最小限に抑えることができる。
【００５４】
図４は、映像ビット列分離部１１による分離処理を説明する図である。図４に示すように、映像ビット列分離部１１は、映像信号である量子化映像データを構成する１２ビットのデータから、最も上位側の複数のビットデータを分離し、第１パケット用のビット列を生成する。また、映像ビット列分離部１１は、次に上位側の複数のビットデータを分離して第２パケット用のビット列を生成し、同様に、最も下位側の複数のビットデータを分離し、第Ｎパケット用のビット列を生成する。
【００５５】
図５は、一般的なパケット化手法（従来技術）を説明する図である。従来技術のパケット化手法では、量子化映像データが逐次パケット化される。このため、低遅延性に優れるというメリットがある。しかし、量子化映像データの最上位ビット及び最下位ビットにおいて、誤りが発生する確率は等しくなる。このため、わずかなビット誤りによっても、映像の誤りとして検知されてしまう場合を排除できないというデメリットがある。
【００５６】
このように、本発明の実施例１では、映像ビット列分離部１１により、映像データのうち上位側のビットデータは、品質が高い伝送路に対応するように分離され、下位側のビットデータは、品質が低い伝送路に対応するように分離される。これにより、誤り訂正符号を用いる処理のような複雑な信号処理が不要となり、装置が大型化することもなく、中継車等の限られたスペースへ収容することも可能となり、消費電力も低く抑えることができる。そして、上位側のビットデータは高い品質の伝送路を介して伝送され、下位側のビットデータは低い品質の伝送路を介して伝送される。
【００５７】
以上のように、実施例１の映像信号送信装置１−１によれば、映像ビット列分離部１１は、予め設定された規則に従い、映像信号である映像データを構成する複数のビットデータを、伝送路３０−１〜３０−Ｎの品質に応じて分離し、上位側のビットデータが品質の高い伝送路に対応し、下位側のビットデータが品質の低い伝送路に対応するように、Ｎ個（Ｎ系統）のビット列を生成する。そして、パケット変換部１２−１〜１２−Ｎは、対応するビット列をパケット信号に変換し、伝送路符号化部１３−１〜１３−Ｎは、対応するパケット信号を伝送路符号化する。
【００５８】
これにより、伝送路符号化された信号は、品質が異なる伝送路３０−１〜３０−Ｎを介して後述する映像信号受信装置２−１へ送信される。そして、映像信号受信装置２−１は、伝送路符号化された信号に対し、映像信号送信装置１−１と逆の処理を行うことで、元の映像信号を復元する。
【００５９】
したがって、高額な帯域保証型高速通信回線の伝送路を用いることなく、ビット誤り率が高い一部の低廉な通信回線を用いて、実用的な映像伝送を実現することができる。一般的に、ビット誤り率が極めて低い回線（帯域保証型通信回線）は、ビット誤り率が比較的高い回線よりも高額である。しかし、全ての映像データを、帯域保証型通信回線を用いて伝送する必要がないことから、経済的な回線を用いた伝送を実現することができる。さらに、伝送路３０−１〜３０−Ｎの途中に存在するスイッチまたはルーター等の通信機器に変更を加える必要がないため、映像信号送信装置１−１の導入が容易になると共に、システム全体を低廉化することができる。また、圧縮符号化処理を用いる伝送と比較して、映像信号送信装置１−１自体を簡単化でき、低消費電力化、省スペース化によって、番組制作現場での運用効率を向上させることができる。
【００６０】
つまり、大容量の映像信号の伝送を、複雑な信号処理を行うことなく低廉に実現し、かつ誤りの発生による画質への悪影響を抑制することが可能となる。
【００６１】
（映像信号受信装置／実施例１）
次に、実施例１の映像信号受信装置について詳細に説明する。図６は、実施例１の映像信号受信装置の構成例を示すブロック図である。この映像信号受信装置２−１は、Ｎ個の伝送路復号部２１−１〜２１−Ｎ、Ｎ個のパケット再変換部２２−１〜２２−Ｎ、及び映像ビット列合成部２３を備えている。Ｎは２以上の整数である。
【００６２】
映像信号受信装置２−１は、映像信号送信装置１−１から伝送路３０−１〜３０−Ｎを介して送信された伝送信号を受信し、伝送路復号部２１−１〜２１−Ｎは、対応する伝送路３０−１〜３０−Ｎから受信した伝送信号を入力する。そして、伝送路復号部２１−１〜２１−Ｎは、図１に示した映像信号送信装置１−１の対応する伝送路符号化部１３−１〜１３−Ｎの逆の処理を行う。具体的には、伝送路復号部２１−１〜２１−Ｎは、伝送信号に対し、対応する伝送路３０−１〜３０−Ｎの通信方式に応じた伝送路復号を行い、対応する伝送路３０−１〜３０−Ｎの通信方式に応じた伝送フレーム構造のパケット信号を生成する。
【００６３】
伝送路復号部２１−１〜２１−Ｎにより伝送路復号されたパケット信号は、対応するパケット再変換部２２−１〜２２−Ｎへ入力される。
【００６４】
パケット再変換部２２−１〜２２−Ｎは、対応する伝送路復号部２１−１〜２１−Ｎからパケット信号を入力し、図１に示した映像信号送信装置１−１の対応するパケット変換部１２−１〜１２−Ｎの逆の処理を行う。具体的には、パケット再変換部２２−１〜２２−Ｎは、対応する伝送路３０−１〜３０−Ｎの通信方式に応じた伝送フレーム構造のパケット信号を、ビット列に再変換する。
【００６５】
パケット再変換部２２−１〜２２−Ｎにより再変換されたＮ個（Ｎ系統）のビット列は、映像ビット列合成部２３へ入力される。
【００６６】
映像ビット列合成部２３は、パケット再変換部２２−１〜２２−ＮからＮ個（Ｎ系列）のビット列を入力し、図１に示した映像信号送信装置１−１の対応する映像ビット列分離部１１の逆の処理を行う。具体的には、映像ビット列合成部２３は、予め設定された規則（映像ビット列分離部１１にて用いた規則に対して逆の規則）に従い、Ｎ個（Ｎ系統）のビット列を合成することで、元の映像信号を生成し外部へ出力する。つまり、映像ビット列合成部２３は、Ｎ個（Ｎ系統）のビット列である、伝送路３０−１〜３０−Ｎの品質に応じて分離された、品質の高い伝送路に対応した上位側のビットデータからなるビット列、及び品質の低い伝送路に対応した下位側のビットデータであるビット列を合成し、元の映像信号を生成する。
【００６７】
ここで、映像ビット列合成部２３は、伝送路３０−１〜３０−Ｎにおいてビット誤りが発生し、パケット信号の消失またはパケット信号のビット誤りが発生したと判定した場合、消失等したビットデータを、誤りなく受信した隣接するビットデータを用いて補完する。補完処理は、例えば線形補完の手法が用いられる。
【００６８】
尚、映像ビット列合成部２３は、消失等したビットデータを補完する際に、隣接するビットデータが長い期間に渡って誤っていると判定した場合、補完が困難であると判断し、消失等したビットデータを、ゼロのデータで補完（スタッフィング）する。ここで、パケット信号の消失は、パケット信号のシーケンス番号に基づいて判定することができ、パケット信号のビット誤りは、パケット信号の誤り検出符号（例えばフレームチェックシーケンス）に基づいて判定することができる。
【００６９】
例えば、映像信号である映像データを構成する複数のビットデータのうち下位側のビットデータは、品質の低い伝送路を介して伝送されるから、パケット信号の消失またはパケット信号のビット誤りによるビットエラーが発生しやすい。映像ビット列合成部２３の補完処理により、簡単な処理にて、映像信号のビットエラーを目視で検知し難くすることができる。
【００７０】
以上のように、実施例１の映像信号受信装置２−１によれば、伝送路復号部２１−１〜２１−Ｎは、対応する伝送路３０−１〜３０−Ｎを介して受信した伝送信号を伝送路復号してパケット信号を生成し、パケット再変換部２２−１〜２２−Ｎは、対応するパケット信号をビット列に再変換する。そして、映像ビット列合成部２３は、予め設定された規則（映像ビット列分離部１１にて用いた所定の規則に対して逆の規則）に従い、Ｎ個（Ｎ系統）のビット列を合成することで、元の映像信号を生成する。
【００７１】
これにより、高額な帯域保証型高速通信回線の伝送路を用いることなく、ビット誤り率が高い一部の低廉な通信回線を用いて、実用的かつ経済的な映像伝送を実現することができる。さらに、伝送路３０−１〜３０−Ｎの途中に存在するスイッチまたはルーター等の通信機器に変更を加える必要がないため、映像信号受信装置２−１の導入が容易になると共に、システム全体を低廉化することができる。また、映像信号受信装置２−１自体を簡単化でき、低消費電力化、省スペース化によって、番組制作現場での運用効率を向上させることができる。
【００７２】
つまり、大容量の映像信号の伝送を、複雑な信号処理を行うことなく低廉に実現し、かつ誤りの発生による画質への悪影響を抑制することが可能となる。
【００７３】
〔実施例２〕
次に、実施例２について説明する。実施例２は、品質が異なる複数の伝送路を前提とし、映像信号の上位ビットが格納されたパケットを多重し、品質の高い伝送路を介して伝送し、映像信号の下位ビットが格納されたパケットを多重し、品質の低い伝送路を介して伝送する例である。実施例２では、映像信号をビット列に分離する分離数Ｎと伝送路の数とが同一でない場合（分離数Ｎよりも伝送路の数が少ない場合）の伝送を実現し、柔軟な運用を可能とする。
【００７４】
（映像信号送信装置／実施例２）
実施例２の映像信号送信装置について詳細に説明する。図７は、実施例２の映像信号送信装置の構成例を示すブロック図である。この映像信号送信装置１−２は、映像ビット列分離部１１、Ｎ個のパケット変換部１２−１〜１２−Ｎ、１個以上のパケット多重部１４−１等、及びＭ個の伝送路符号化部１３−１〜１３−Ｍを備えている。Ｎは２以上の整数であり、Ｍは１以上の整数である。ＮはＭよりも大きい。
【００７５】
図１に示した実施例１の映像信号送信装置１−１と図７に示す実施例２の映像信号送信装置１−２とを比較すると、両映像信号送信装置１−１，１−２は、映像ビット列分離部１１、Ｎ個のパケット変換部１２−１〜１２−Ｎを備えている点で同一である。
【００７６】
一方、実施例１の映像信号送信装置１−１は、１個以上のパケット多重部１４−１等を備えていないのに対し、実施例２の映像信号送信装置１−２は、１個以上のパケット多重部１４−１等を備えている点で相違する。また、実施例１の映像信号送信装置１−１は、Ｎ個の伝送路符号化部１３−１〜１３−Ｎを備えているのに対し、実施例２の映像信号送信装置１−２は、Ｎより小さいＭ個の伝送路符号化部１３−１〜１３−Ｍを備えている点で相違する。
【００７７】
映像ビット列分離部１１及びパケット変換部１２−１〜１２−Ｎは、図１に示した実施例１と同様であるから、ここでは説明を省略する。
【００７８】
パケット変換部１２−１，１２−２により生成されたパケット信号は、パケット多重部１４−１へ入力され、パケット変換部１２−Ｎにより生成されたパケット信号は、伝送路符号化部１３−Ｍへ入力される。パケット変換部１２−３〜１２−（Ｎ−１）により生成されたパケット信号は、対応するパケット多重部１４−２等または伝送路符号化部１３−２〜１３−（Ｍ−１）へ入力される。
【００７９】
パケット多重部１４−１は、パケット変換部１２−１からパケット信号を入力すると共に、パケット変換部１２−２からパケット信号を入力し、これらのパケット信号を多重する。パケット多重部１４−１により多重されたパケット信号は、伝送路符号化部１３−１へ入力される。
【００８０】
パケット多重部１４−２等は、対応するパケット変換部１２−３等からパケット信号を入力して多重する。パケット多重部１４−２等により多重されたパケット信号は、対応する伝送路符号化部１３−２等へ入力される。
【００８１】
伝送路符号化部１３−１は、パケット多重部１４−１から多重されたパケット信号を入力し、パケット信号を伝送路符号化する。伝送路符号化部１３−Ｍは、パケット変換部１２−Ｎからパケット信号を入力し、パケット信号を伝送路符号化する。
【００８２】
伝送路符号化部１３−２〜１３−（Ｍ−１）は、対応するパケット多重部１４−２等またはパケット変換部１２−３〜１２−（Ｎ−１）から多重されたパケット信号またはパケット信号を入力し、パケット信号を伝送路符号化する。
【００８３】
つまり、伝送路符号化部１３−１〜１３−Ｍは、パケット変換部１２−１〜１２−Ｎにより生成されたパケット信号のうち、パケット多重部１４−１等による多重対象の複数のパケット信号を除くパケット信号、及び、パケット多重部１４−１等により多重されたパケット信号（多重後のパケット信号）に対し、対応する伝送路３０−１〜３０−Ｍの通信方式に応じた伝送路符号化を行う。
【００８４】
伝送路符号化部１３−１〜１３−Ｍにより伝送路符号化された信号は、伝送信号として対応する伝送路３０−１〜３０−Ｍを介して、後述する映像信号受信装置２−２へ送信される。
【００８５】
尚、パケット多重部１４−１は、２個のパケット信号を入力して多重するようにしたが、３個以上のパケット信号を入力して多重するようにしてもよい。つまり、パケット多重部１４−１等は、２個以上のパケット信号を入力して多重する。また、図７では、伝送路３０−１〜３０−Ｍの数Ｍを複数とした構成例を示しているが、Ｍは１であってもよい。この場合、映像信号送信装置１−２は、映像ビット列分離部１１、パケット変換部１２−１等、パケット多重部１４−１及び伝送路符号化部１３−１のみを備える。
【００８６】
以上のように、実施例２の映像信号送信装置１−２によれば、映像ビット列分離部１１及びパケット変換部１２−１〜１２−Ｎは、実施例１と同様の処理を行う。パケット多重部１４−１等は、対応する複数のパケット信号を多重し、伝送路符号化部１３−１〜１３−Ｍは、対応する多重したパケット信号またはパケット信号を伝送路符号化する。
【００８７】
これにより、伝送路符号化された信号は、品質の異なる伝送路３０−１〜３０−Ｍを介して後述する映像信号受信装置２−２へ送信される。そして、映像信号受信装置２−２は、伝送路符号化された信号に対し、映像信号送信装置１−２と逆の処理を行うことで、元の映像信号を復元する。
【００８８】
したがって、実施例１と同様の効果を奏し、大容量の映像信号の伝送を、複雑な信号処理を行うことなく低廉に実現し、かつ誤りの発生による画質への悪影響を抑制することが可能となる。また、分離数Ｎよりも小さい数Ｍの伝送路３０−１〜３０−Ｍによる映像信号の伝送を実現することができる。
【００８９】
（映像信号受信装置／実施例２）
次に、実施例２の映像信号受信装置について詳細に説明する。図８は、実施例２の映像信号受信装置の構成例を示すブロック図である。この映像信号受信装置２−２は、Ｍ個の伝送路復号部２１−１〜２１−Ｍ、１個以上のパケット分離部２４−１等、Ｎ個のパケット再変換部２２−１〜２２−Ｎ、及び映像ビット列合成部２３を備えている。Ｎは２以上の整数であり、Ｍは１以上の整数である。ＮはＭよりも大きい。
【００９０】
図６に示した実施例１の映像信号受信装置２−１と図８に示す実施例２の映像信号受信装置２−２とを比較すると、両映像信号受信装置２−１，２−２は、Ｎ個のパケット再変換部２２−１及び映像ビット列合成部２３を備えている点で同一である。
【００９１】
一方、実施例１の映像信号受信装置２−１は、Ｎ個の伝送路復号部２１−１〜２１−Ｎを備えているのに対し、実施例２の映像信号受信装置２−２は、Ｎより小さいＭ個の伝送路復号部２１−１〜２１−Ｍを備えている点で相違する。また、実施例１の映像信号受信装置２−１は、１個以上のパケット分離部２４−１等を備えていないのに対し、実施例２の映像信号受信装置２−２は、１個以上のパケット分離部２４−１等を備えている点で相違する。
【００９２】
映像信号受信装置２−２は、映像信号送信装置１−２から伝送路３０−１〜３０−Ｍを介して送信された伝送信号を受信し、伝送路復号部２１−１〜２１−Ｍは、対応する伝送路３０−１〜３０−Ｍから受信した伝送信号を入力する。そして、伝送路復号部２１−１〜２１−Ｍは、図７に示した映像信号送信装置１−２の対応する伝送路符号化部１３−１〜１３−Ｍの逆の処理を行う。
【００９３】
伝送路復号部２１−１により伝送路復号されたパケット信号は、パケット分離部２４−１へ入力され、伝送路復号部２１−Ｍにより伝送路復号されたパケット信号は、パケット再変換部２２−Ｎへ入力される。伝送路復号部２１−２〜２１−（Ｍ−１）により伝送路復号されたパケット信号は、対応するパケット分離部２４−２等またはパケット再変換部２２−３〜２２−（Ｎ−１）へ入力される。
【００９４】
パケット分離部２４−１は、図７に示した映像信号送信装置１−２の対応するパケット多重部１４−１の逆の処理を行う。具体的には、パケット分離部２４−１は、伝送路復号部２１−１からパケット信号（多重されたパケット信号）を入力し、多重されたパケット信号から２つのパケット信号を分離する。パケット分離部２４−１により分離されたパケット信号の一方は、パケット再変換部２２−１へ入力され、他方は、パケット再変換部２２−２へ入力される。
【００９５】
パケット分離部２４−２等は、図７に示した映像信号送信装置１−２の対応するパケット多重部１４−２等の逆の処理を行う。具体的には、パケット分離部２４−２等は、対応する伝送路復号部２１−２等からパケット信号（多重されたパケット信号）を入力し、多重されたパケット信号から所定数のパケット信号を分離する。パケット分離部２４−２等により分離されたパケット信号は、パケット再変換部２２−３等へ入力される。
【００９６】
パケット再変換部２２−１は、パケット分離部２４−１からパケット信号を入力し、パケット再変換部２２−２は、パケット分離部２４−２からパケット信号を入力し、図７に示した映像信号送信装置１−２の対応するパケット変換部１２−１，１２−２の逆の処理をそれぞれ行う。パケット再変換部２２−Ｎは、対応する伝送路復号部２１−Ｍからパケット信号を入力し、対応するパケット変換部１２−Ｎの逆の処理を行う。
【００９７】
パケット再変換部２２−３〜２２−（Ｎ−１）は、対応するパケット分離部２４−２等または伝送路復号部２１−２〜２１−（Ｍ−１）からパケット信号を入力し、対応するパケット変換部１２−３〜１２−（Ｎ−１）の逆の処理を行う。
【００９８】
つまり、パケット再変換部２２−１〜２２−Ｎは、伝送路復号部２１−１〜２１−Ｍにより生成されたパケット信号のうち、パケット分離部２４−１等による分離の対象でないパケット信号（パケット分離部２４−１等に入力されないパケット信号）、及び、パケット分離部２４−１等により分離されたパケット信号を、ビット列に再変換する。
【００９９】
映像ビット列合成部２３は、図６に示した実施例１と同様であるから、ここでは説明を省略する。
【０１００】
尚、図８では、伝送路３０−１〜３０−Ｍの数Ｍを複数とした構成例を示しているが、Ｍは１であってもよい。この場合、映像信号受信装置２−２は、伝送路復号部２１−１、パケット分離部２４−１、パケット再変換部２２−１等及び映像ビット列合成部２３のみを備えている。
【０１０１】
以上のように、実施例２の映像信号受信装置２−２によれば、伝送路復号部２１−１〜２１−Ｍは、対応する伝送路３０−１〜３０−Ｍを介して受信した伝送信号を伝送路復号してパケット信号を生成し、パケット分離部２４−１等は、多重されたパケット信号から所定数のパケット信号を分離し、パケット再変換部２２−１〜２２−Ｎ及び映像ビット列合成部２３は、実施例１と同様の処理を行う。
【０１０２】
これにより、実施例１と同様の効果を奏し、大容量の映像信号の伝送を、複雑な信号処理を行うことなく低廉に実現し、かつ誤りの発生による画質への悪影響を抑制することが可能となる。また、分離数Ｎよりも小さい数Ｍの伝送路３０−１〜３０−Ｍによる映像信号の伝送を実現することができる。
【０１０３】
〔実施例３〕
次に、実施例３について説明する。実施例３は、品質がほぼ同等の複数の伝送路を前提とし、映像信号の上位ビットが格納されたパケットを、高い訂正性能の符号にて誤り訂正符号化して伝送し、下位ビットが格納されたパケットを、低い訂正性能の符号にて誤り訂正符号化して伝送する例である。実施例１，２は、品質がほぼ同等の複数の伝送路について、適用することができない。そこで、実施例３では、実施例１の構成に異なる複数の誤り訂正機能を加えることで、このような伝送路に適用できるようにする。
【０１０４】
（映像信号送信装置／実施例３）
実施例３の映像信号送信装置について詳細に説明する。図９は、実施例３の映像信号送信装置の構成例を示すブロック図である。この映像信号送信装置１−３は、映像ビット列分離部１１、Ｎ個のパケット変換部１２−１〜１２−Ｎ、Ｎ個の誤り訂正符号化部１５−１〜１５−Ｎ、及びＮ個の伝送路符号化部１３−１〜１３−Ｎを備えている。Ｎは２以上の整数である。
【０１０５】
映像信号送信装置１−３は、送信対象の映像信号をＮ個の映像信号に分離して誤り訂正符号化を施す。Ｎ個に分離され誤り訂正符号化された映像信号は、映像信号送信装置１−３から伝送路３０−１〜３０−Ｎを介して、後述する映像信号受信装置２−３へ伝送される。伝送路３０−１〜３０−Ｎの品質は、ほぼ同等であるものとする。つまり、伝送路３０−１〜３０−Ｎ内に伝送されるパケット信号のそれぞれの誤り率は、所定の範囲内の値をとり、ほぼ同じである。後述する実施例４の伝送路３０−１〜３０−Ｍについても同様である。
【０１０６】
図１に示した実施例１の映像信号送信装置１−１と図９に示す実施例３の映像信号送信装置１−３とを比較すると、両映像信号送信装置１−１，１−３は、映像ビット列分離部１１、Ｎ個のパケット変換部１２−１〜１２−Ｎ、及びＮ個の伝送路符号化部１３−１〜１３−Ｎを備えている点で同一である。
【０１０７】
一方、実施例１の映像信号送信装置１−１は、Ｎ個の誤り訂正符号化部１５−１〜１５−Ｎを備えていないのに対し、実施例３の映像信号送信装置１−３は、Ｎ個の誤り訂正符号化部１５−１〜１５−Ｎを備えている点で相違する。また、実施例１における映像信号送信装置１−１の映像ビット列分離部１１は、伝送路３０−１〜３０−Ｎの品質に応じた規則に従って分離処理を行うのに対し、実施例３における映像信号送信装置１−３の映像ビット列分離部１１は、誤り訂正符号化部１５−１〜１５−Ｎの訂正性能に応じた規則に従って分離処理を行う点で相違する。また、実施例１の伝送路３０−１〜３０−Ｎは、品質が異なるのに対し、実施例３の伝送路３０−１〜３０−Ｎは、品質がほぼ同等である点で相違する。
【０１０８】
映像ビット列分離部１１は、送信対象の映像信号を入力し、予め設定された規則に従い、映像信号である映像データを構成する複数のビットデータを、誤り訂正符号化部１５−１〜１５−Ｎの訂正性能に応じて分離し、上位側のビットデータが高い訂正性能の符号を用いる誤り訂正符号化部に対応し、下位側のビットデータが低い訂正性能の符号を用いる誤り訂正符号化部に対応するように、Ｎ個（Ｎ系統）のビット列を生成する。分離数Ｎは、伝送路３０−１〜３０−Ｎに応じた数とする。
【０１０９】
映像ビット列分離部１１により生成されたＮ系統のビット列は、対応するパケット変換部１２−１〜１２−Ｎへ入力される。
【０１１０】
例えば、予め設定された規則として、映像信号である映像データを構成する複数のビットデータ（上位側のビットから下位側のビットまでの一連のビットデータ）を、誤り訂正符号化部１５−１〜１５−Ｎの訂正性能に応じて、誤り訂正符号化部１５−１〜１５−Ｎに対応するＮグループ（伝送路３０−１〜３０−Ｎの数分のグループ）に等分し、Ｎ系統のビット列を生成する規則が定義されている。
【０１１１】
誤り訂正符号化部１５−１が最も高い訂正性能を有し、誤り訂正符号化部１５−１から誤り訂正符号化部１５−Ｎへ訂正性能が順番に低下し、誤り訂正符号化部１５−Ｎが最も低い訂正性能を有する場合、誤り訂正符号化部１５−１に対応するビット列は、映像データにおける上位側のビットデータからなるように生成され、誤り訂正符号化部１５−Ｎに対応するビット列は、下位側のビットデータからなるように生成される。つまり、誤り訂正符号化部１５−１〜１５−Ｎの訂正性能が高いほど、映像データにおける上位側のビットデータからなるビット列が生成され、訂正性能が低いほど、下位側のビットデータからなるビット列が生成される。
【０１１２】
また、例えば、予め設定された規則として、映像信号である映像データを構成する複数のビットデータ（上位側のビットから下位側のビットまでの一連のビットデータ）を、誤り訂正符号化部１５−１〜１５−Ｎの訂正性能に応じて、誤り訂正符号化部１５−１〜１５−Ｎに対応するＮグループ（伝送路３０−１〜３０−Ｎの数分のグループ）に、かつ伝送路３０−１〜３０−Ｎの伝送速度に比例するビット長となるように分離し、Ｎ系統のビット列を生成する規則が定義されている。
【０１１３】
誤り訂正符号化部１５−１が最も高い訂正性能を有し、誤り訂正符号化部１５−１から誤り訂正符号化部１５−Ｎへ訂正性能が順番に低下し、誤り訂正符号化部１５−Ｎが最も低い訂正性能を有し、また、伝送路３０−１が最も高速度であり、伝送路３０−１から伝送路３０−Ｎへ速度が順番に遅くなり、伝送路３０−Ｎが最も低速度である場合を想定する。この場合、誤り訂正符号化部１５−１に対応するビット列（伝送路３０−１に対応するビット列）は、映像データにおける上位側のビットデータからなり、長いビット長になるように生成され、誤り訂正符号化部１５−Ｎに対応するビット列（伝送路３０−Ｎに対応するビット列）は、下位側のビットデータからなり、短いビット長になるように生成される。つまり、誤り訂正符号化部１５−１〜１５−Ｎの訂正性能が高いほど、映像データにおける上位側のビットデータからなるビット列が生成され、訂正性能が低いほど、下位側のビットデータからなるビット列が生成される。また、伝送路３０−１〜３０−Ｎの伝送速度が速いほど、ビット長の長いビット列が生成され、伝送速度が遅いほど、ビット長の短いビット列が生成される。
【０１１４】
この規則を用いることにより、高い訂正性能の誤り訂正符号化処理が行われる映像信号の伝送路には、映像への影響が大きい上位側のビットデータが割り当てられ、高速度の伝送路には、多くのビットデータが割り当てられるから、映像信号を効率的に伝送することができる。
【０１１５】
また、例えば、予め設定された規則として、実施例１と同様に、映像信号である映像データを構成する複数のビットデータ（上位側のビットから下位側のビットまでの一連のビットデータ）を、誤り訂正符号化部１５−１〜１５−Ｎ（伝送路３０−１〜３０−Ｎ）毎の予め設定されたビット長に分離し、Ｎ系統のビット列を生成する規則が定義されている。この場合、異なるビット長のＮ個のビット列に分離するようにしてもよい。
【０１１６】
この規則を用いることにより、オペレータは、誤り訂正符号化処理の系統毎（伝送路３０−１〜３０−Ｎ毎）にビット長を自由に設定することができるから、自由度の高い、映像信号の伝送を実現することができる。
【０１１７】
Ｎ個のパケット変換部１２−１〜１２−Ｎ及び伝送路符号化部１３−１〜１３−Ｎは、図１に示した実施例１と同様であるから、ここでは説明を省略する。
【０１１８】
誤り訂正符号化部１５−１〜１５−Ｎは、対応するパケット変換部１２−１〜１２−Ｎからパケット信号を入力し、上位側のビットデータを含むパケット信号に対し高い訂正性能の符号にて誤り訂正符号化し、下位側のビットデータを含むパケット信号に対し低い訂正性能の符号にて誤り訂正符号化する。
【０１１９】
誤り訂正符号化部１５−１〜１５−Ｎにより誤り訂正符号化されたパケット信号は、対応する伝送路符号化部１３−１〜１３−Ｎへ入力される。
【０１２０】
例えば、パケット変換部１２−１から入力したパケット信号には最も上位側のビットデータが含まれ、パケット変換部１２−１からパケット変換部１２−Ｎへ順番に下位側のビットデータが多く含まれ、パケット変換部１２−Ｎから入力したパケット信号には最も下位側のビットデータが含まれる場合を想定する。この場合、誤り訂正符号化部１５−１は、最も高い訂正性能の符号にて誤り訂正符号化処理を行い、誤り訂正符号化部１５−Ｎは、最も低い訂正性能の符号にて誤り訂正符号化処理を行う。つまり、パケット信号が上位側のビットデータを含むほど、高い訂正性能の誤り訂正符号化処理が行われ、下位側のビットデータを含むほど、低い訂正能力の誤り訂正符号化処理が行われる。
【０１２１】
誤り訂正符号化部１５−１〜１５−Ｎには、上位側のビットデータを含むパケット信号に対して高い訂正性能となり、下位側のビットデータを含むパケット信号に対し低い訂正性能となるように、誤り訂正符号化の方式が予め設定されている。誤り訂正符号化の冗長度を同じとすると、高い訂正性能の誤り訂正符号化の方式として、例えばＬＤＰＣ符号が用いられ、低い訂正性能の誤り訂正符号化の方式として、例えばＢＣＨ符号が用いられる。
【０１２２】
尚、誤り訂正符号化の訂正性能は、上位側のビットデータに対して高くなり、下位側のビットデータに対して低くなるように、全ての系統において異なるようにしてもよいし、一部のみ異なるようにしてもよい。
【０１２３】
図９では、映像信号送信装置１−３は、誤り訂正符号化部１５−１〜１５−Ｎを、パケット変換部１２−１〜１２−Ｎと伝送路符号化部１３−１〜１３−Ｎとの間に備えるようにしたが、映像ビット列分離部１１とパケット変換部１２−１〜１２−Ｎとの間に備えるようにしてもよい。
【０１２４】
以上のように、実施例３の映像信号送信装置１−３によれば、映像ビット列分離部１１は、予め設定された規則に従い、映像信号である映像データを構成する複数のビットデータを、誤り訂正符号化部１５−１〜１５−Ｎの訂正性能に応じて分離し、上位側のビットデータが訂正性能の高い誤り訂正符号化部に対応し、下位側のビットデータが訂正性能の低い誤り訂正符号化部に対応するように、Ｎ個（Ｎ系統）のビット列を生成する。そして、パケット変換部１２−１〜１２−Ｎは、対応するビット列をパケット信号に変換し、誤り訂正符号化部１５−１〜１５−Ｎは、上位側のビットデータを含むパケット信号に対し高い訂正性能の符号にて誤り訂正符号化し、下位側のビットデータを含むパケット信号に対し低い訂正性能の符号にて誤り訂正符号化する。そして、伝送路符号化部１３−１〜１３−Ｎは、対応するパケット信号を伝送路符号化する。
【０１２５】
これにより、伝送路符号化された信号は、品質がほぼ同等の伝送路３０−１〜３０−Ｎを介して後述する映像信号受信装置２−３へ送信される。そして、映像信号受信装置２−３は、伝送路符号化された信号に対し、映像信号送信装置１−３と逆の処理を行うことで、元の映像信号を復元する。
【０１２６】
したがって、実施例１と同様の効果を奏し、大容量の映像信号の伝送を、複雑な信号処理を行うことなく低廉に実現し、かつ誤りの発生による画質への悪影響を抑制することが可能となる。また、誤り訂正符号化部１５−１〜１５−Ｎにおいて、低い訂正性能の符号も用いるようにしたから、誤り訂正符号化処理を行うＬＳＩの回路規模を縮小することができ、それに伴う小型化及び低消費電力化を実現し、訂正パリティビット数の低減による伝送効率を向上させることができる。
【０１２７】
（映像信号受信装置／実施例３）
次に、実施例３の映像信号受信装置について詳細に説明する。図１０は、実施例３の映像信号受信装置の構成例を示すブロック図である。この映像信号受信装置２−３は、Ｎ個の伝送路復号部２１−１〜２１−Ｎ、Ｎ個の誤り訂正復号部２５−１〜２５−Ｎ、Ｎ個のパケット再変換部２２−１〜２２−Ｎ、及び映像ビット列合成部２３を備えている。Ｎは２以上の整数である。
【０１２８】
図６に示した実施例１の映像信号受信装置２−１と図１０に示す実施例３の映像信号受信装置２−３とを比較すると、両映像信号受信装置２−１，２−３は、Ｎ個の伝送路復号部２１−１〜２１−Ｎ、Ｎ個のパケット再変換部２２−１〜２２−Ｎ、及び映像ビット列合成部２３を備えている点で同一である。
【０１２９】
一方、実施例１の映像信号受信装置２−１は、Ｎ個の誤り訂正復号部２５−１〜２５−Ｎを備えていないのに対し、実施例３の映像信号受信装置２−３は、Ｎ個の誤り訂正復号部２５−１〜２５−Ｎを備えている点で相違する。また、実施例１における映像信号受信装置２−１の映像ビット列合成部２３は、伝送路３０−１〜３０−Ｎの品質に応じた規則に従って合成処理を行うのに対し、実施例３における映像信号受信装置２−３の映像ビット列合成部２３は、誤り訂正復号部２５−１〜２５−Ｎの訂正性能（誤り訂正符号化部１５−１〜１５−Ｎの訂正性能）に応じた規則に従って合成処理を行う点で相違する。また、実施例１の伝送路３０−１〜３０−Ｎは、品質が異なるのに対し、実施例３の伝送路３０−１〜３０−Ｎは、品質がほぼ同等である点で相違する。
【０１３０】
映像信号受信装置２−３は、映像信号送信装置１−３から伝送路３０−１〜３０−Ｎを介して送信された伝送信号を受信する。伝送路復号部２１−１〜２１−Ｎは、図６に示した実施例１と同じであるから、ここでは説明を省略する。
【０１３１】
誤り訂正復号部２５−１〜２５−Ｎは、図９に示した映像信号送信装置１−３の対応する誤り訂正符号化部１５−１〜１５−Ｎの逆の処理を行う。具体的には、誤り訂正復号部２５−１〜２５−Ｎは、上位側のビットデータを含むパケット信号に対し高い訂正性能の符号にて誤り訂正復号し、下位側のビットデータを含むパケット信号に対し低い訂正性能の符号にて誤り訂正復号する。
【０１３２】
誤り訂正復号部２５−１〜２５−Ｎにより誤り訂正復号されたパケット信号は、対応するパケット再変換部２２−１〜２２−Ｎへ入力される。パケット再変換部２２−１〜２２−Ｎは、図６に示した実施例１と同じであるから、ここでは説明を省略する。
【０１３３】
映像ビット列合成部２３は、パケット再変換部２２−１〜２２−ＮからＮ個（Ｎ系列）のビット列を入力し、図９に示した映像信号送信装置１−３の対応する映像ビット列分離部１１の逆の処理を行う。具体的には、映像ビット列合成部２３は、予め設定された規則（映像ビット列分離部１１にて用いた規則に対して逆の規則）に従い、Ｎ個（Ｎ系統）のビット列を合成することで、元の映像信号を生成し外部へ出力する。つまり、映像ビット列合成部２３は、Ｎ個（Ｎ系統）のビット列である、誤り訂正復号部２５−１〜２５−Ｎの訂正性能（誤り訂正符号化部１５−１〜１５−Ｎの訂正性能）の訂正性能に応じて分離された、訂正性能の高い誤り訂正復号部に対応した上位側のビットデータであるビット列、及び訂正性能の低い誤り訂正復号部に対応した下位側のビットデータであるビット列を合成し、元の映像信号を生成する。
【０１３４】
ここで、映像ビット列合成部２３は、実施例１と同様に、伝送路３０−１〜３０−Ｎにおいてビット誤りが発生し、パケット信号の消失またはパケット信号のビット誤りが発生したと判定した場合、消失等したビットデータを、誤りなく受信した隣接するビットデータを用いて補完する。
【０１３５】
尚、図１０では、映像信号受信装置２−３は、誤り訂正復号部２５−１〜２５−Ｎを、伝送路復号部２１−１〜２１−Ｎとパケット再変換部２２−１〜２２−Ｎとの間に備えるようにしたが、パケット再変換部２２−１〜２２−Ｎと映像ビット列合成部２３との間に備えるようにしてもよい。
【０１３６】
以上のように、実施例３の映像信号受信装置２−３によれば、伝送路復号部２１−１〜２１−Ｎは、対応する伝送路３０−１〜３０−Ｎを介して受信した伝送信号を伝送路復号してパケット信号を生成する。そして、誤り訂正復号部２５−１〜２５−Ｎは、上位側のビットデータを含むパケット信号に対し高い訂正性能の符号にて誤り訂正復号し、下位側のビットデータを含むパケット信号に対し低い訂正性能の符号にて誤り訂正復号する。そして、パケット再変換部２２−１〜２２−Ｎは、対応するパケット信号をビット列に再変換し、映像ビット列合成部２３は、予め設定された規則（図９に示した映像ビット列分離部１１にて用いた規則に対して逆の規則）に従い、Ｎ個（Ｎ系統）のビット列を合成することで、元の映像信号を生成する。
【０１３７】
これにより、実施例１と同様の効果を奏し、大容量の映像信号の伝送を、複雑な信号処理を行うことなく低廉に実現し、かつ誤りの発生による画質への悪影響を抑制することが可能となる。また、誤り訂正復号部２５−１〜２５−Ｎにおいて、低い訂正性能の符号も用いるようにしたから、誤り訂正復号処理を行うＬＳＩの回路規模を縮小することができ、それに伴う小型化及び低消費電力化を実現し、訂正パリティビット数の低減による伝送効率を向上させることができる。
【０１３８】
〔実施例４〕
次に、実施例４について説明する。実施例４は、品質がほぼ同等の複数の伝送路を前提とし、映像信号の上位ビットが格納されたパケットを多重し、高い訂正性能の符号にて誤り訂正符号化して伝送し、下位ビットが格納されたパケットを多重し、低い訂正性能の符号にて誤り訂正符号化して伝送する例である。実施例１，２は、品質がほぼ同等の複数の伝送路に対して適用することができない。そこで、実施例４では、実施例２の構成に異なる複数の誤り訂正機能を加えることで、このような伝送路に適用できるようにする。また、実施例４では、映像信号をビット列に分離する分離数Ｎと伝送路の数とが同一でない場合（分離数Ｎよりも伝送路の数が少ない場合）の伝送を実現し、柔軟な運用を可能とする。
【０１３９】
（映像信号送信装置／実施例４）
実施例４の映像信号送信装置について詳細に説明する。図１１は、実施例４の映像信号送信装置の構成例を示すブロック図である。この映像信号送信装置１−４は、映像ビット列分離部１１、Ｎ個のパケット変換部１２−１〜１２−Ｎ、Ｎ個の誤り訂正符号化部１５−１〜１５−Ｎ、１個以上のパケット多重部１４−１等、及びＭ個の伝送路符号化部１３−１〜１３−Ｍを備えている。Ｎは２以上の整数であり、Ｍは１以上の整数である。ＮはＭよりも大きい。
【０１４０】
図９に示した実施例３の映像信号送信装置１−３と図１１に示す実施例４の映像信号送信装置１−４とを比較すると、両映像信号送信装置１−３，１−４は、映像ビット列分離部１１、Ｎ個のパケット変換部１２−１〜１２−Ｎ、及びＮ個の誤り訂正符号化部１５−１を備えている点で同一である。一方、実施例３の映像信号送信装置１−３は、１個以上のパケット多重部１４−１等を備えていないのに対し、実施例４の映像信号送信装置１−４は、１個以上のパケット多重部１４−１等を備えている点で相違する。また、実施例３の映像信号送信装置１−３は、Ｎ個の伝送路符号化部１３−１〜１３−Ｎを備えているのに対し、実施例４の映像信号送信装置１−４は、Ｎより小さいＭ個の伝送路符号化部１３−１〜１３−Ｍを備えている点で相違する。
【０１４１】
映像ビット列分離部１１、パケット変換部１２−１〜１２−Ｎ及び誤り訂正符号化部１５−１〜１５−Ｎは、図９に示した実施例３と同様であるから、ここでは説明を省略する。
【０１４２】
誤り訂正符号化部１５−１，１５−２により生成されたパケット信号は、パケット多重部１４−１へ入力され、誤り訂正符号化部１５−Ｎにより生成されたパケット信号は、伝送路符号化部１３−Ｍへ入力される。誤り訂正符号化部１５−３〜１５−（Ｎ−１）により生成されたパケット信号は、対応するパケット多重部１４−２等または伝送路符号化部１３−２〜１３−（Ｍ−１）へ入力される。
【０１４３】
パケット多重部１４−１は、誤り訂正符号化部１５−１からパケット信号を入力すると共に、誤り訂正符号化部１５−２からパケット信号を入力し、これらのパケット信号を多重する。パケット多重部１４−１により多重されたパケット信号は、伝送路符号化部１３−１へ入力される。
【０１４４】
パケット多重部１４−２等は、対応する誤り訂正符号化部１５−３等からパケット信号を入力して多重する。パケット多重部１４−２等により多重されたパケット信号は、対応する伝送路符号化部１３−２等へ入力される。
【０１４５】
伝送路符号化部１３−１は、パケット多重部１４−１から多重されたパケット信号を入力し、パケット信号を伝送路符号化する。伝送路符号化部１３−Ｍは、誤り訂正符号化部１５−Ｎからパケット信号を入力し、パケット信号を伝送路符号化する。
【０１４６】
伝送路符号化部１３−２〜１３−（Ｍ−１）は、対応するパケット多重部１４−２等または誤り訂正符号化部１５−３〜１２−（Ｎ−１）から多重されたパケット信号またはパケット信号を入力し、パケット信号を伝送路符号化する。
【０１４７】
つまり、伝送路符号化部１３−１〜１３−Ｍは、誤り訂正符号化部１５−１〜１５−Ｎにより生成されたパケット信号のうち、パケット多重部１４−１等による多重対象の複数のパケット信号を除くパケット信号、及び、パケット多重部１４−１等により多重されたパケット信号（多重後のパケット信号）に対し、対応する伝送路３０−１〜３０−Ｍの通信方式に応じた伝送路符号化を行う。
【０１４８】
伝送路符号化部１３−１〜１３−Ｍにより伝送路符号化された信号は、伝送信号として対応する伝送路３０−１〜３０−Ｍを介して、後述する映像信号受信装置２−４へ送信される。
【０１４９】
尚、パケット多重部１４−１は、２個のパケット信号を入力して多重するようにしたが、３個以上のパケット信号を入力して多重するようにしてもよい。つまり、パケット多重部１４−１等は、２個以上のパケット信号を入力して多重する。また、図１１では、伝送路３０−１〜３０−Ｍの数Ｍを複数とした構成例を示しているが、Ｍは１であってもよい。この場合、映像信号送信装置１−４は、映像ビット列分離部１１、パケット変換部１２−１等、誤り訂正符号化部１５−１等、パケット多重部１４−１及び伝送路符号化部１３−１のみを備える。
【０１５０】
また、図１１では、映像信号送信装置１−４は、誤り訂正符号化部１５−１〜１５−Ｎを、パケット変換部１２−１〜１２−Ｎとパケット多重部１４−１等及び伝送路符号化部１３−１〜１３−Ｍとの間に備えるようにしたが、映像ビット列分離部１１とパケット変換部１２−１〜１２−Ｎとの間に備えるようにしてもよい。
【０１５１】
以上のように、実施例４の映像信号送信装置１−４によれば、映像ビット列分離部１１、パケット変換部１２−１〜１２−Ｎ及び誤り訂正符号化部１５−１〜１５−Ｎは、実施例３と同様の処理を行う。パケット多重部１４−１等は、実施例２と同様に、対応する複数のパケット信号を多重し、伝送路符号化部１３−１〜１３−Ｍは、実施例２と同様に、対応する多重したパケット信号またはパケット信号を伝送路符号化する。
【０１５２】
これにより、伝送路符号化された信号は、品質がほぼ同等の伝送路３０−１〜３０−Ｍを介して後述する映像信号受信装置２−４へ送信される。そして、映像信号受信装置２−４は、伝送路符号化された信号に対し、映像信号送信装置１−４と逆の処理を行うことで、元の映像信号を復元する。
【０１５３】
したがって、実施例１と同様の効果を奏し、大容量の映像信号の伝送を、複雑な信号処理を行うことなく低廉に実現し、かつ誤りの発生による画質への悪影響を抑制することが可能となる。また、実施例２と同様に、分離数Ｎよりも小さい数Ｍの伝送路３０−１〜３０−Ｍによる映像信号の伝送を実現することができる。また、実施例３と同様に、誤り訂正符号化部１５−１〜１５−Ｎにおいて、低い訂正性能の符号も用いるようにしたから、誤り訂正符号化処理を行うＬＳＩの回路規模を縮小することができ、それに伴う小型化及び低消費電力化を実現し、訂正パリティビット数の低減による伝送効率を向上させることができる。
【０１５４】
（映像信号受信装置／実施例４）
次に、実施例４の映像信号受信装置について詳細に説明する。図１２は、実施例４の映像信号受信装置の構成例を示すブロック図である。この映像信号受信装置２−４は、Ｍ個の伝送路復号部２１−１〜２１−Ｍ、１個以上のパケット分離部２４−１等、Ｎ個の誤り訂正復号部２５−１〜２５−Ｎ、Ｎ個のパケット再変換部２２−１〜２２−Ｎ、及び映像ビット列合成部２３を備えている。Ｎは２以上の整数であり、Ｍは１以上の整数である。ＮはＭよりも大きい。
【０１５５】
図１０に示した実施例３の映像信号受信装置２−３と図１２に示す実施例４の映像信号受信装置２−４とを比較すると、両映像信号受信装置２−３，２−４は、Ｎ個の誤り訂正復号部２５−１〜２５−Ｎ、Ｎ個のパケット再変換部２２−１〜２２−Ｎ、及び映像ビット列合成部２３を備えている点で同一である。
【０１５６】
一方、実施例３の映像信号受信装置２−３は、Ｎ個の伝送路復号部２１−１〜２１−Ｎを備えているのに対し、実施例４の映像信号受信装置２−４は、Ｎより小さいＭ個の伝送路復号部２１−１〜２１−Ｍを備えている点で相違する。また、実施例３の映像信号受信装置２−３は、１個以上のパケット分離部２４−１等を備えていないのに対し、実施例４の映像信号受信装置２−４は、１個以上のパケット分離部２４−１等を備えている点で相違する。
【０１５７】
映像信号受信装置２−４は、図１１に示した映像信号送信装置１−４から伝送路３０−１〜３０−Ｍを介して送信された伝送信号を受信する。伝送路復号部２１−１〜２１−Ｍは、対応する伝送路３０−１〜３０−Ｍから受信した伝送信号を入力する。伝送路復号部２１−１〜２１−Ｍ及びパケット分離部２４−１等は、図８に示した実施例２と同様であるから、ここでは説明を省略する。
【０１５８】
誤り訂正復号部２５−１〜２５−Ｎ、パケット再変換部２２−１〜２２−Ｎ及び映像ビット列合成部２３は、図１０に示した実施例３と同様であるから、ここでは説明を省略する。
【０１５９】
ここで、伝送路復号部２１−１により伝送路復号されたパケット信号は、パケット分離部２４−１へ入力され、伝送路復号部２１−Ｍにより伝送路復号されたパケット信号は、誤り訂正復号部２５−Ｎへ入力される。伝送路復号部２１−２〜２１−（Ｍ−１）により伝送路復号されたパケット信号は、対応するパケット分離部２４−２等または誤り訂正復号部２５−３〜２５−（Ｎ−１）へ入力される。
【０１６０】
パケット分離部２４−１により分離されたパケット信号の一方は、誤り訂正復号部２５−１へ入力され、他方は、誤り訂正復号部２５−２へ入力される。パケット分離部２４−２等により分離されたパケット信号は、対応する誤り訂正復号部２５−３等へ入力される。
【０１６１】
誤り訂正復号部２５−１〜２５−Ｎは、伝送路復号部２１−１〜２１−Ｍにより生成されたパケット信号のうち、パケット分離部２４−１等による分離対象でないパケット信号（パケット分離部２４−１等に入力されないパケット信号）、及び、パケット分離部２４−１等により分離されたパケット信号を入力する。そして、誤り訂正復号部２５−１〜２５−Ｎは、上位側のビットデータを含むパケット信号に対し高い訂正性能の符号にて誤り訂正復号し、下位側のビットデータを含むパケット信号に対し低い訂正性能の符号にて誤り訂正復号する。
【０１６２】
尚、図１２では、伝送路３０−１〜３０−Ｍの数Ｍを複数とした構成例を示しているが、Ｍは１であってもよい。この場合、映像信号受信装置２−４は、伝送路復号部２１−１、パケット分離部２４−１、誤り訂正復号部２５−１等、パケット再変換部２２−１等及び映像ビット列合成部２３のみを備える。
【０１６３】
図１２では、映像信号受信装置２−４は、誤り訂正復号部２５−１〜２５−Ｎを、伝送路復号部２１−１〜２１−Ｎ及びパケット分離部２４−１等とパケット再変換部２２−１〜２２−Ｎとの間に備えるようにしたが、パケット再変換部２２−１〜２２−Ｎと映像ビット列合成部２３との間に備えるようにしてもよい。
【０１６４】
以上のように、実施例４の映像信号受信装置２−４によれば、伝送路復号部２１−１〜２１−Ｍは、対応する伝送路３０−１〜３０−Ｍを介して受信した伝送信号を伝送路復号してパケット信号を生成し、パケット分離部２４−１等は、多重されたパケット信号を所定数のパケット信号に分離する。そして、誤り訂正復号部２５−１〜２５−Ｎは、上位側のビットデータを含むパケット信号に対し高い訂正性能の符号にて誤り訂正復号し、下位側のビットデータを含むパケット信号に対し低い訂正性能の符号にて誤り訂正復号する。そして、パケット再変換部２２−１〜２２−Ｎ及び映像ビット列合成部２３は、実施例３と同様の処理を行う。
【０１６５】
これにより、実施例１と同様の効果を奏し、大容量の映像信号の伝送を、複雑な信号処理を行うことなく低廉に実現し、かつ誤りの発生による画質への悪影響を抑制することが可能となる。また、実施例２と同様に、分離数Ｎよりも小さい数Ｍの伝送路３０−１〜３０−Ｍによる映像信号の伝送を実現することができる。また、実施例３と同様に、誤り訂正復号部２５−１〜２５−Ｎにおいて、低い訂正性能の符号も用いるようにしたから、誤り訂正復号処理を行うＬＳＩの回路規模を縮小することができ、それに伴う小型化及び低消費電力化を実現し、訂正パリティビット数の低減による伝送効率を向上させることができる。
【０１６６】
以上、実施例１〜４を挙げて本発明を説明したが、本発明は前記実施例１〜４に限定されるものではなく、その技術思想を逸脱しない範囲で種々変形可能である。例えば、実施例１〜４において、映像信号送信装置１−１〜１−４の映像ビット列分離部１１は、予め設定された規則に従い、映像信号の分離処理を行うようにしたが、外部から規則である優先度設定情報を入力し、予め設定された規則を変更し、変更後の規則に従って映像信号の分離処理を行うようにしてもよい。例えば、オペレータは、映像信号受信装置２−１〜２−４により出力された映像信号について、その品質を判断する。そして、映像信号送信装置１−１〜１−４の映像ビット列分離部１１は、オペレータの操作により、その品質が反映された優先度設定情報を入力する。この場合、映像信号送信装置１−１〜１−４は、入力した優先度設定情報に従って変更した規則を、映像信号受信装置２−１〜２−４へ送信し、映像信号受信装置２−１〜２−４の映像ビット列合成部２３は、変更した規則の逆の規則に従って、合成処理を行う。
【産業上の利用可能性】
【０１６７】
本発明による映像信号送信装置及び映像信号受信装置は、放送局内または放送局間の伝送等における広範な放送業務用機器等に用いられ、特に、伝送システムの小型化及び低廉化に有用である。
【符号の説明】
【０１６８】
１  映像信号送信装置
２  映像信号受信装置
１１  映像ビット列分離部
１２  パケット変換部
１３  伝送路符号化部
１４  パケット多重部
１５  誤り訂正符号化部
２１  伝送路復号部
２２  パケット再変換部
２３  映像ビット列合成部
２４  パケット分離部
２５  誤り訂正復号部
３０  伝送路
【図１】
0006553964.tif 000002
【図２】
0006553964.tif 000003
【図３】
0006553964.tif 000004
【図４】
0006553964.tif 000005
【図５】
0006553964.tif 000006
【図６】
0006553964.tif 000007
【図７】
0006553964.tif 000008
【図８】
0006553964.tif 000009
【図９】
0006553964.tif 000010
【図１０】
0006553964.tif 000011
【図１１】
0006553964.tif 000012
【図１２】
0006553964.tif 000013